(57)【要約】本発明は、メッセージ内の秘密データセクションの動的通信のためのシステム、装置、および方法を提供する。秘密データは、メッセージの送信者によって選択的に操作されることができ、動的通信は、１つまたは複数のサブグループの作成を含む。【特許請求の範囲】
【請求項１】
動的通信のための方法であって、
メンバーのサブグループを作成すること、
明示のデータセクションと秘密のデータセクションを含むメッセージを作成すること、
送信者によって秘密データセクションを選択的に操作すること、および
メッセージをサブグループに送信すること、を含む方法。
【請求項２】
前記サブグループが、１つ以上の秘密サブグループ、またはそれらの任意の組み合わせをさらに含む、請求項１に記載の方法。
【請求項３】
前記サブグループのメンバーによって前記メッセージを受信することをさらに含む、請求項１または２に記載の方法。
【請求項４】
前記秘密データを選択的に操作することは、前記サブグループのメンバーによる前記メッセージの閲覧および／または聴取が選択的であるように、前記メッセージ復号化に１つまたは複数の制限を追加することを含む、請求項１に記載の方法。
【請求項５】
前記データは、テキストメッセージ、画像、ドキュメント、オーディオファイル、ビデオファイル、またはそれらの任意の組み合わせを含む、請求項１に記載の方法。
【請求項６】
前記メッセージにファイルを追加することをさらに含み、前記サブグループのメンバーによる前記ファイルのダウンロードが選択的である、請求項１〜５のいずれか一項に記載の方法。
【請求項７】
対称鍵を配布することをさらに含む、請求項１に記載の方法。
【請求項８】
前記対称鍵配布は、第三者チャットアプリケーションを介して行われる、請求項７に記載の方法。
【請求項９】
前記サブグループ内の前記メッセージの送受信は、第三者チャットアプリケーションを介して行われる、請求項１〜８のいずれか一項に記載の方法。
【請求項１０】
前記選択的な閲覧および／または聴取は、受信者による前記メッセージの秘密データセクションの視聴が承認されていることの検証を含み、前記受信者は前記秘密サブグループのメンバーである、請求項４に記載の方法。
【請求項１１】
前記検証は、時間制限が満たされるか、位置制限が満たされるか、強制グループ復号制限が満たされるか、またはそれらの任意の組合せのうちの１つまたは複数を判定することをさらに含む、請求項１０に記載の方法。
【請求項１２】
前記選択的な閲覧および／または聴取は、専用の外部ハードウェアを使用する、請求項１〜１１のいずれか一項に記載の方法。
【請求項１３】
前記専用の外部ハードウェアは、外部ディスプレイおよび／またはイヤプラグの形態である、請求項１２に記載の方法。
【請求項１４】
添付ファイルをダウンロードするステップは、受信者による添付ファイルのダウンロードが承認されていることの検証を含む、請求項６に記載の方法。
【請求項１５】
前記検証は、時間制限が満たされること、および／または前記ファイル制限をすでにダウンロードしたユーザの数が満たされることを決定することをさらに含む、請求項１４に記載の方法。
【請求項１６】
少なくとも２人のエンドユーザ間、ユーザのグループ間、および／またはユーザのサブグループ間でメッセージを通信する、請求項１〜１５のいずれか一項に記載の方法。
【請求項１７】
前記動的通信は、メッセージごとに決定または修正される、請求項１に記載の方法。
【請求項１８】
前記秘密データの前記選択的操作は、メッセージごとに決定または修正される、請求項１に記載の方法。
【請求項１９】
複数の明示的および秘密のセクションが、同じメッセージ内に含まれる、請求項１に記載の方法。
【請求項２０】
特定のユーザを識別するための追加の認証ステップをさらに含む、請求項１〜１９のいずれか一項に記載の方法。
【請求項２１】
前記追加の認証は、近距離無線通信（ＮＦＣ）および／またはＱＲ手段の使用を含む、請求項２０に記載の方法。
【請求項２２】
前記ＮＦＣおよび／またはＱＲが、着用可能物に同化されるか、着用可能物に埋め込まれるか、または着用可能物に関連付けられる、請求項２１に記載の方法。
【請求項２３】
前記ＱＲがＱＲタトゥーの形態である、請求項２１に記載の方法。
【請求項２４】
前記追加の認証は、受信者の第２の認証および／または送信者のデジタル署名として機能する、請求項１９〜２３のいずれか一項に記載の方法。
【請求項２５】
前記方法は、プロセッサ、送信ユニット、受信ユニット、ディスプレイユニット、入力ユニット、グラフィカルユーザインタフェース（ＧＵＩ）、位置サービス機構、またはそれらの任意の組合せのうちの１つまたは複数を備える携帯通信装置上で実行される、請求項１に記載の方法。
【請求項２６】
前記携帯通信装置がスマートフォンである、請求項２５に記載の方法。
【請求項２７】
プロセッサ、送信ユニット、受信ユニット、ディスプレイユニット、入力ユニット、グラフィカルユーザインタフェース（ＧＵＩ）、位置サービス機構、またはそれらの組合せのうちの１つまたは複数を備える携帯通信装置であって、前記通信装置は明示的および秘密のデータセクションの動的通信のための方法を実行することができ、前記方法はメッセージを送信および／または受信することを含み、前記メッセージは明示的および秘密のデータセクションを含み、前記秘密のデータは前記メッセージの送信者によって選択的に操作され、前記動的通信はサブグループの作成を含む、携帯通信装置。
【請求項２８】
前記サブグループが、１つ以上の秘密サブグループ、またはそれらの任意の組み合わせを含む、請求項２７に記載の装置。
【請求項２９】
前記秘密データを選択的に操作することは、前記サブグループのメンバーによる前記メッセージの閲覧および／または聴取が選択的であるように、前記メッセージ内に明示のデータセクションおよび秘密のデータセクションを作成するために、前記メッセージ復号に１つまたは複数の制限を追加することを含む、請求項２７に記載の装置。
【請求項３０】
明示的および秘密のデータセクションを通信するためのシステムであって、携帯型通信装置と、前記携帯型通信装置上で実行されるときに明示的および秘密のデータセクションを通信することを可能にするローカル実行可能命令と、前記秘密のセクションを表示および／または再生することが可能な１つ以上の専用ハードウェア装置と、を含むシステム。
【請求項３１】
前記システムが、グローバルサーバおよび／またはデータベースをさらに備える、請求項３０に記載のシステム。
【請求項３２】
明示的および秘密のデータセクションの通信のための前記ローカル実行可能命令は、メッセージを送信／および受信することを含み、前記メッセージは、秘密データセクションと秘密データセクションとを含み、前記秘密のデータは、前記メッセージの送信者によって選択的に操作される、請求項３０に記載のシステム。
【請求項３３】
前記通信は動的である、請求項３０〜３２のいずれか一項に記載のシステム。
【請求項３４】
前記動的通信は、サブグループの作成を含む、請求項３３に記載のシステム。
【請求項３５】
前記サブグループが、１つ以上の秘密サブグループ、またはそれらの任意の組み合わせを含む、請求項３４に記載のシステム。
【請求項３６】
前記秘密のデータを選択的に操作することは、１つ以上のエンドユーザによるメッセージの閲覧および／または聴取が選択的であるように、メッセージ内に明示的および秘密のデータセクションを作成するために、前記メッセージ復号化に１つ以上の制限を追加することを含む、請求項３０〜３５のいずれか一項に記載のシステム。
【請求項３７】
前記専用の外部ハードウェアは、外部ディスプレイおよび／またはイヤプラグの形態である、請求項３０〜３６のいずれか一項に記載のシステム。
【請求項３８】
特定のユーザを識別するための追加の認証をさらに含む、請求項３０〜３７のいずれか一項に記載のシステム。
【請求項３９】
前記追加の認証は、近距離無線通信（ＮＦＣ）および／またはＱＲ手段を含む、請求項３８に記載のシステム。
【請求項４０】
前記ＮＦＣおよび／またはＱＲが、着用可能物に同化されるか、着用可能物に埋め込まれるか、または着用可能物に関連付けられる、請求項３９に記載のシステム。
【請求項４１】
前記ＱＲがＱＲタトゥーの形態である、請求項３９に記載のシステム。
【請求項４２】
前記携帯型通信装置は、プロセッサ、送信ユニット、受信ユニット、ディスプレイユニット、入力ユニット、グラフィカルユーザインタフェース（ＧＵＩ）、位置サービス機構、またはそれらの任意の組合せのうちの１つまたは複数を備える、請求項３０〜４１のいずれか一項に記載のシステム。
【発明の詳細な説明】
【技術分野】
【０００１】
本発明はメッセージ／ファイル交換アプリケーションの分野に関し、より具体的には、本発明は、交換されたメッセージ／ファイルを様々な方法で操作することを可能にする。
【背景技術】
【０００２】
現在、チャットアプリケーションなど、メッセージ／ファイル交換のためのさまざまなアプリケーションがある。これらのアプリケーションは、２人の個人／ユーザ間、または事前定義されたグループ内でのメッセージやファイルの交換を可能にする。これらのアプリケーションのほとんどは、セキュリティとプライバシーを強化するためにエンドツーエンドの暗号化もサポートしている。一部のアプリケーションでは、グループチャットをグループメンバーとのプライベートチャットに切り替えたり、特定の場所でメッセージの受信を許可したりすることもできる。
【０００３】
しかしながら、当技術分野では、秘密データセクションの選択的な視聴を可能にし、任意選択で動的サブグループ作成を可能にしながら、明示的におよび秘密裏に様々なタイプのデータを通信可能とするシステム、装置、および方法が必要とされている。
【発明の概要】
【０００４】
本発明はその実施形態において、様々なタイプのデータ（テキストメッセージ、音声メッセージ、およびファイルなど）を、秘密データセクションの選択的な視聴、および／または動的な（メッセージごとの）サブグループ作成を可能にしながら、明示的および秘密裏に通信可能とするシステム、装置、および方法を提供する。
【０００５】
いくつかの実施形態では、本発明は、通信されたデータの選択的操作を可能としながらデータが明示的および秘密裏のデータセクションを含み、、通信装置（セルラー電話など）間で、様々なタイプのデータ（例えば、テキストメッセージ、画像、写真、文書、オーディオファイル、音楽ファイル、ビデオファイルなどを含む）を、無線ネットワーク（セルラーネットワークなど）を介して通信することを可能にする方法、装置、およびシステムを提供する。
【０００６】
いくつかの実施形態では、データは、明示のセクションと秘密のセクションの混合を含むことにより、操作されたデータ（例えば、そのようなデータの混合を含むメッセージ）において、通信に参加するすべてのユーザ（「サブグループ」）によって明示のセクションを視聴することができ、一方、秘密のセクションは選択されたサブグループ（「秘密のサブグループ」）によってのみ視聴することができるように、明示のセクションと秘密のセクションの混合を含む。いくつかの実施形態では、データは秘密のセクションのみを含む。いくつかの実施形態では、受信者リストを送信者によって決定することができる。
【０００７】
いくつかの実施形態において、秘密のセクションは、選択された不可視文字を使用して符号化されてもよい。
【０００８】
いくつかの実施形態では、秘密データの選択的操作が、特定のユーザ（「秘密サブグループ」）、特定の時間、特定の位置、時空間分布など、またはそれらの任意の組合せに制限され得る。
【０００９】
さらなる実施形態によれば、第２の認証手段（例えば、専用バーコード、ＱＲコード（登録商標）、および／または近距離無線通信（ＮＦＣ）要素などのＲＦ−ＩＤなどの物理的手段）を使用して、秘密のセクションの視聴を可能にすることができる。
【００１０】
いくつかの実施形態では、（外部ディスプレイ／イヤプラグなどの）追加の専用ハードウェア装置を使用して、秘密のセクションの視聴を可能にすることができる。
【００１１】
いくつかの実施形態では、秘密メッセージの視聴制限を、メッセージごとに決定／変更することができる。
【００１２】
いくつかの実施形態によれば、開示された方法、装置およびシステムは、メッセージ交換のために現在使用されている方法とシステムよりも優れている。開示された方法、装置およびシステムは、以下のことを可能にするか、または実施する能力を有する：
（１）明示的および秘密のテキストメッセージおよびファイル（画像、文書、音楽、ビデオクリップなど）を、個々のユーザ、ユーザのグループ、および／またはユーザのグループへ、エンドツーエンドの暗号化の有無に関わらず操作的に送信すること、
（２）同一のメッセージ内に複数の明示的および秘密のセクションを含めること、
（３）秘密のセクションを符号化するために、選択された不可視文字を用いること、
（４）メンバーがメッセージ（「サブグループ」を作成する）を受信することを動的に禁止（メッセージ毎に）すること、
（５）メンバーが秘密のセクション（「秘密のサブグループ」を作成する）を読むこと（または聞くこと）を動的に禁止（メッセージ毎に）すること、
（６）複数のレベルの操作（１つより多い「秘密のサブグループ」を作成する）を使用すること、
（７）地理的（場所に基づく）復号制限を設定すること、
（８）時間および日付の復号制限を設定すること、
（９）時間および日付の復号制限と組み合わされた地理的復号制限を設定すること、
（１０）グループ復号制限を強制すること、
（１１）ファイルをダウンロードできるユーザの数を制限すること（例えば、「先着順」ベース）、
（１２）メッセージに設定された前記制限とは別に、ファイルに時間制限を追加すること、（１３）専用の外部ディスプレイ／イヤプラグを使用して、秘密のデータセクションを視聴すること、
（１４）ＮＦＣおよび／またはＱＲを第２の認証として使用すること、
（１５）ＮＦＣおよび／またはＱＲを送信者のデジタル署名として使用すること、
（１６）ＱＲコードとして機能する特別なタトゥーを作成すること、
（１７）布、衣服、スマートウォッチ、時計、フィットネストラッカー、帽子などに、ＮＦＣおよびＱＲタグを仕込むこと、
（１８）秘密のセクションを視聴するために、専用の外部ディスプレイ／イヤプラグを使用すること。
【００１３】
いくつかの実施形態では、本明細書で開示されるシステム、装置、および方法は、既存の通信アプリケーション（チャットアプリケーションなど）内に、またはこれに追加して、容易に実装することができる。いくつかの実施形態では、開示された方法はアプリケーションの形態であることができ、システムおよび装置は開示された方法を実行することができる通信システム（携帯型装置、可読記憶媒体、サーバなど）を含むことができる。
【００１４】
いくつかの実施形態によれば、明示的および秘密のデータセクションを動的に通信するための方法が提供され、この方法はメッセージを送信および／または受信することを含むことができ、前記メッセージは明示的および秘密のデータセクションを含むことができ、秘密のデータはメッセージの送信者によって選択的に操作され、動的通信はサブグループの作成を含むことができる。
【００１５】
いくつかの実施形態では、動的通信のための方法が提供され、この方法はメンバーのサブグループを作成するステップと、明示のデータセクションと秘密のデータセクションとを含むメッセージを作成するステップと、送信者によって秘密のデータセクションを選択的に操作するステップと、メッセージをサブグループに送信するステップとのうちの、１つまたは複数のステップを含む。
【００１６】
いくつかの実施形態では、サブグループが１つまたは複数の秘密サブグループ、またはそれらの任意の組合せを含むことができる。
【００１７】
いくつかの実施形態では、メッセージがサブグループのメンバーによって受信される。
【００１８】
いくつかの実施形態では、秘密データを選択的に操作することは、サブグループのメンバーによるメッセージの視聴が選択的であるように、メッセージ復号化に１つまたは複数の制約を追加することを含むことができる。
【００１９】
いくつかの実施形態によれば、データは、テキストメッセージ、画像、ドキュメント、オーディオファイル、ビデオファイル、またはそれらの任意の組合せを含むことができる。
【００２０】
いくつかの実施形態によれば、この方法はメッセージにファイルを追加することをさらに含むことができ、サブグループのメンバーによるファイルのダウンロードは選択的である。
【００２１】
いくつかの実施形態では、この方法は、対称鍵を配布することをさらに含むことができる。いくつかの実施形態によれば、対称鍵の配布は、第三者チャットアプリケーションを介して実行されてもよい。
【００２２】
いくつかの実施形態によれば、サブグループにおけるメッセージの送信および／または受信は、第三者チャットアプリケーションを介して実行されてもよい。
【００２３】
いくつかの実施形態によれば、選択的な視聴は、受信者がメッセージの秘密データセクションを視聴することを承認されていることを検証することを含み、受信者は秘密サブグループのメンバーである。
【００２４】
いくつかの実施形態によれば、検証ステップは、時間制限が満たされること、位置制限が満たされること、強制グループ復号制限が満たされること、またはそれらの任意の組合せのうちの１つまたは複数を判断することをさらに含むことができる。
【００２５】
いくつかの実施形態によれば、選択的な視聴は、専用の外部ハードウェアの使用によってもよい。いくつかの実施形態によれば、専用の外部ハードウェアは、外部ディスプレイおよび／またはイヤプラグの形態であってもよい。
【００２６】
いくつかの実施形態によれば、添付ファイルをダウンロードするステップは、受信者が添付ファイルをダウンロードすることを承認されていることを検証するステップを含むことができる。
【００２７】
いくつかの実施形態によれば、検証ステップは、時間制限が満たされること、および／またはファイル制限をすでにダウンロードしたユーザの数が満たされること、またはそれらの任意の組合せのうちの１つまたは複数を判断することをさらに含むことができる。
【００２８】
いくつかの実施形態によれば、この方法は、少なくとも２人のエンドユーザ間、ユーザのグループ間、および／またはユーザのサブグループ間でメッセージを通信するために使用され得る。
【００２９】
いくつかの実施形態によれば、動的通信は、メッセージごとに決定または修正されてもよい。
【００３０】
いくつかの実施形態によれば、秘密データの選択的操作は、メッセージごとに決定または修正されてもよい。
【００３１】
いくつかの実施形態によれば、複数の明示的および秘密のセクションが、同じメッセージ内に含まれてもよい。
【００３２】
いくつかの実施形態によれば、この方法は、特定のユーザを識別するための追加の認証ステップをさらに含むことができる。
【００３３】
いくつかの実施形態によれば、追加の認証ステップは、ＲＦ−ＩＤのような近距離無線通信タグおよび／またはクイックレスポンス（ＱＲ）コード手段のような手段の使用を含むことができる。
【００３４】
いくつかの実施形態によれば、ＮＦＣおよび／またはＱＲは、着用可能物に、同化され、埋め込まれ、または関連付けられてもよい。いくつかの実施形態によれば、ＱＲは、ＱＲタトゥーの形態であってもよい。
【００３５】
いくつかの実施形態によれば、追加認証は、受信者の第２の認証および／または送信者のデジタル署名として機能することができる。
【００３６】
いくつかの実施形態によれば、方法は、プロセッサ、送信ユニット、受信ユニット、ディスプレイユニット、入力ユニット、グラフィカルユーザインタフェース（ＧＵＩ）、位置サービス機構のうちの１つまたは複数、またはそれら任意の組み合わせを備える携帯通信装置上で実行され得る。
【００３７】
いくつかの実施形態によれば、携帯通信装置は、スマートフォンであってもよい。
【００３８】
いくつかの実施形態によれば、プロセッサ、送信ユニット、受信ユニット、ディスプレイユニット、入力ユニット、グラフィカルユーザインタフェース（ＧＵＩ）、位置サービス機構、またはそれらの組合せのうちの１つまたは複数を備える携帯通信装置が提供される。前記通信装置は明示的および秘密のデータセクションの動的通信のための方法を実行することができる。前記方法はメッセージを送信および／または受信することを含み、前記メッセージは明示的および秘密のデータセクションを含むことができ、前記秘密データはメッセージの送信者によって選択的に操作され、前記動的通信はサブグループの作成を含むことができる。
【００３９】
いくつかの実施形態によれば、サブグループは、１つまたは複数の秘密サブグループ、またはそれらの任意の組合せを含むことができる。
【００４０】
いくつかの実施形態によれば、秘密データを選択的に操作することは、サブグループのメンバーによるメッセージの視聴が選択的であるように、メッセージ内に明示のデータセクションおよび秘密のデータセクションを作成するために、メッセージ復号化に１つまたは複数の制約を追加することを含むことができる。
【００４１】
いくつかの実施形態によれば、明示的および秘密のデータセクションを通信するためのシステムが提供される。システムは、携帯型通信装置と、携帯型通信装置上で実行されるときに明示的および秘密のデータセクションを通信することを可能にするローカル実行可能命令と、秘密のセクションを表示および／または再生することができる１つ以上の専用ハードウェア装置とを含むことができる。
【００４２】
いくつかの実施形態によれば、明示的および秘密のデータセクションを通信するためのローカル実行可能命令はメッセージを送信および／または受信することを含むことができ、前記メッセージは明示的および秘密のデータセクションを含むことができ、秘密のデータは、メッセージの送信者によって選択的に操作される。
【００４３】
いくつかの実施形態によれば、通信は動的であってもよい。
【００４４】
いくつかの実施形態によれば、動的通信は、サブグループの作成を含む。
【００４５】
いくつかの実施形態によれば、サブグループは、１つまたは複数の秘密サブグループ、またはそれらの任意の組合せを含むことができる。
【００４６】
いくつかの実施形態によれば、システムによって秘密データを選択的に操作することは、１つまたは複数のエンドユーザによるメッセージの視聴が選択的であるように、メッセージ復号に１つまたは複数の制約を追加して、メッセージ内に明示のデータセクションおよび秘密のデータセクションを作成することを含む。
【００４７】
いくつかの実施形態によれば、システムの専用外部ハードウェアは、外部ディスプレイおよび／またはイヤプラグの形態である。
【００４８】
いくつかの実施形態によれば、システムは、特定のユーザを識別するための追加の認証ステップをさらに含むことができる。
【００４９】
いくつかの実施形態によれば、追加の認証は、近距離無線通信（ＮＦＣ）タグなどのＲＦ−ＩＤおよび／またはクイックレスポンス（ＱＲ）コード手段を含むことができる。いくつかの実施形態によれば、ＮＦＣおよび／またはＱＲは、着用可能物に同化されてもよく、着用可能物に埋め込まれてもよく、着用可能物に関連付けられてもよい。いくつかの実施形態では、ＱＲが特別なＱＲタトゥーの形態であってもよい。
【００５０】
いくつかの実施形態によれば、システムの携帯型通信装置は、プロセッサ、送信ユニット、受信ユニット、ディスプレイユニット、入力ユニット、グラフィカルユーザインタフェース（ＧＵＩ）、位置サービス機構、またはそれらの任意の組合せのうちの１つまたは複数を含むことができる。
【００５１】
本発明のさらなる実施形態、特徴、利点、および適用可能性の全範囲は、以下に与えられる詳細な説明および図面から明らかになるであろう。しかしながら、詳細な説明は本発明の好ましい実施形態を示しているが、本発明の精神および範囲内の様々な変更および修正がこの詳細な説明から当業者には明らかになるので、例示としてのみ与えられることを理解されたい。
【図面の簡単な説明】
【００５２】
本発明のいくつかの実施形態は、添付の図面を参照して本明細書に記載される。図面と説明により、当業者には、いくつかの実施形態をどのように実施することができるかが明らかになる。図面は説明のためのものであり、本発明の基本的な理解のために必要な程度を超えて、実施形態の構造的な詳細を示す試みはなされていない。明確にするために、図に示されるいくつかの物体は、縮尺通りではない。
【００５３】
【図１】いくつかの実施形態による、データセクションを明確かつ秘密に通信するためのシステムのブロック図の例示である。
【図２】いくつかの実施形態による、データセクションを明示的および秘密に通信するための方法のステップのブロック図である。
【図３】いくつかの実施形態による、グループ作成を示すＧＵＩ表示ビュー（スクリーンショット）を示す。
【図４】いくつかの実施形態による、第三者のチャットアプリケーションを介した鍵配布の表示ビューを示す。
【図５】メッセージ作成を示すＧＵＩ表示ビューを示す。
【図６Ａ】いくつかの実施形態による、時刻および期間に基づくビュー制限の追加を示すＧＵＩ表示ビューを示す。
【図６Ｂ】いくつかの実施形態による、地理的位置に基づいてビュー制限を追加することを示すＧＵＩ表示ビューを示す。
【図６Ｃ】いくつかの実施形態による、ユーザＩＤに基づく視野制限を追加することを示すＧＵＩ表示ビューを示す。
【図７】いくつかの実施形態による、第三者のチャットアプリケーションを介したメッセージ配信を示す表示ビュー（スクリーンショット）を示す。
【図８】いくつかの実施形態による、送信者が受信者に第２の認証を使用させる方法を示すＧＵＩ表示ビューの図である。
【図９】いくつかの実施形態による、デジタル署名として第２の認証を使用することを示すＧＵＩのスクリーンショットの図である。
【図１０】いくつかの実施形態による、明示的および秘密のデータセクションを通信するための装置のブロック図の例示である。
【発明を実施するための形態】
【００５４】
本発明はその実施形態では動的な（メッセージごとの）サブグループの作成と、秘密のデータセクションの選択的な視聴を可能にしながら、様々なタイプのデータの明示的および秘密の通信を可能にするシステム、装置、および方法を提供する。
【００５５】
理解を容易にするために、以下の用語を定義する。
【００５６】
本明細書で使用されるように、用語「操作データ」は、ユーザによって操作され得る、明示的および秘密のセクションを含むデータを指す。
【００５７】
本明細書で使用されるように、用語「グループ」は、所定のセットに編成されたユーザ（参加者／メンバー）の集合を指す。いくつかの実施形態では、グループのすべてのメンバーが通信されたメッセージ／データを潜在的に受信することができる。
【００５８】
本明細書で使用されるように、用語「サブグループ」は、グループから得られたユーザのサブセットを指し、サブグループのメンバー（本明細書では「受信者」とも呼ばれる）のみが、通信されたメッセージ／データを受信する。いくつかの実施形態では、サブグループのメンバーであるメッセージ／データの送信者がサブグループの他のメンバーを決定する。
【００５９】
本明細書で使用されるように、用語「秘密サブグループ」はサブグループから得られたメンバーのサブセットを指し、秘密サブグループのメンバーのみが、サブグループ内で送信されたメッセージ／データの秘密セクションを視聴することができる。
【００６０】
本明細書で使用されるように、用語「明示のセクション」は、何ら制限なしに視聴することができる、通信されたメッセージ／データのセクション／部分／一部を指す。いくつかの実施形態では、明示のセクションがサブグループのすべてのメンバーに見える／聞こえる。
【００６１】
本明細書で使用されるように、用語「秘密セクション」は、それらの提示（視聴）を制限する少なくとも１つの制限を有する、通信されるメッセージ／データのセクション／部分／一部を指す。
【００６２】
ここで使用されるように、「秘密／公開鍵ペア」という用語は、１つの鍵が暗号化に使用され、もう１つの鍵が復号化に使用される暗号鍵のペアを指す。
【００６３】
ここで使用されるように、「対称鍵」という用語は、暗号化と復号の両方に使用される暗号鍵を指す。
【００６４】
ここで使用されるように、「第三者チャットアプリケーション」という語は、本願の「ローカル実行可能命令」ではない任意の現存するチャットアプリケーションを指す。
【００６５】
ある実施形態では、「ローカル実行可能命令」および「ローカルアプリケーション」という用語を同じ意味で使用することができる。
【００６６】
本明細書で使用されるように、「第２の認証手段」という語は、ユーザを認証／検証するために使用され得る任意の種類の物理的または仮想的な認証手段に向けられる。いくつかの実施形態では、第２の認証手段が携帯通信装置のＩＤに加えて使用される。
【００６７】
いくつかの実施形態によれば、明示的および秘密にセクションを通信するためのシステムが提供され、システムは、携帯型通信装置と、携帯型通信装置上で実行されたときに明示的および秘密のデータセクションを通信することができるローカル実行可能命令と、１つ以上の第２の認証手段と、１つ以上のグローバルデータベースおよび／またはサーバと、全体的にセクションを表示／再生することができる１つ以上の追加の専用ハードウェア装置とのうちの１つ以上を含む。各可能性は、別個の実施形態である。
【００６８】
いくつかの実施形態による、データセクションを明示的および秘密に通信するためのシステムのブロック図を示す図１を参照する。図１に示すように、システム（１００）は以下の要素を含むことができる。携帯型通信装置（通信装置１０２として示される）であって、ローカル実行可能命令（ローカルアプリケーションの形態など）をインストールし、実行されると、ユーザ間で明示的および秘密のデータセクションを通信することを可能にするもの。いくつかの実施形態において、ローカル実行可能命令（実行可能命令、１０１として示される）は、装置上にインストールされ実行されるローカルアプリケーションの形態とすることができる。いくつかの実施形態では、装置（１０２）をスマートフォンとすることができる。さらなる実施形態によれば、ローカル実行可能命令（ローカルアプリケーションの形態など）は既存の通信アプリケーション（チャットアプリケーションなど）内で容易に実装することができ、または既存の通信アプリケーション上に追加することができる。いくつかの実施形態によれば、装置は、第２の認証手段（認証手段  １０４として示されている）をさらに含むことができる。第２の認証手段は、例えば、以下にさらに詳述するように、専用バーコード、ＱＲコード及び／又はＮＦＣ要素等のＲＦ−ＩＤのような、外部の物理的手段を含むことができる。いくつかの実施形態では、システムが多数のエンドユーザをサポートする１つまたは複数のグローバルデータベース（１０６）および／またはサーバ（１０３）をさらに含むことができる。いくつかの実施形態では、システムが任意選択で、通信装置上のプレゼンテーションの代わりに、またはそれに加えて、秘密セクションの視聴を可能にすることができる追加の専用ハードウェア装置（外部プレゼンテーション装置１０５として示される）をさらに含むことができる。
【００６９】
いくつかの実施形態によれば、明示的および秘密のデータセクションを通信するためのシステムが提供され、システムは携帯型通信装置と、携帯型通信装置上で実行されたときに、明示的および秘密のデータセクションを通信することを可能にすることができるローカル実行可能命令と、第２の認証手段、１つまたは複数のグローバルデータベース（１０６）および／またはサーバ（１０３）、秘密セクションを表示／再生することができる１つまたは複数の追加の専用ハードウェア装置、またはそれらの任意の組合せのうちの１つまたは複数とを含む。各可能性は、別個の実施形態である。
【００７０】
いくつかの実施形態によれば、明示的および秘密のデータセクションを通信するためのシステムが提供され、システムは携帯型通信装置と、携帯型通信装置上で実行されるときに、明示的および秘密のデータセクションを通信することを可能にするローカル実行可能命令と、１つ以上の第２の認証手段とを含む。
【００７１】
いくつかの実施形態によれば、明示的および秘密のデータセクションを通信するためのシステムが提供され、システムは、携帯型通信装置と、携帯型通信装置上で実行されるときに明示的および秘密のデータセクションを通信することができるローカル実行可能命令と、１つ以上のグローバルデータベースおよび／またはサーバとを含む。
【００７２】
いくつかの実施形態によれば、明示的および秘密のデータセクションを通信するためのシステムが提供され、システムは、携帯型通信装置と、携帯型通信装置上で実行されるときに明示的および秘密のデータセクションを通信することができるローカル実行可能命令と、秘密のセクションを表示／再生することができる１つ以上の追加の専用ハードウェア装置とを含む。
【００７３】
いくつかの実施形態によれば、明示的および秘密のデータセクションを通信するためのシステムが提供され、システムは、携帯型通信装置と、携帯型通信装置上で実行されるときに明示的および秘密のデータセクションを通信することができるローカル実行可能命令と、秘密のセクションを表示／再生することができる１つ以上の追加の専用ハードウェア装置とを含む。
【００７４】
いくつかの実施形態によれば、明示的および秘密のデータセクションを通信するためのシステムが提供され、システムは携帯型通信装置と、携帯型通信装置上で実行されたときに、明示的および秘密のデータセクションを通信することを可能にするローカル実行可能命令とを含み、ローカル実行可能命令はメンバーのサブグループを作成するステップと、明示的なデータセクションおよび秘密のデータセクションを含むメッセージを作成するステップと、送信者によって秘密のデータセクションを選択的に操作するステップと、メッセージをサブグループに送信するステップとのうちの１つまたは複数を含むことができ、システムは、秘密セクションを表示／再生することができる１つまたは複数の追加の専用ハードウェア装置をさらに含むことができる。いくつかの実施形態では、サブグループが１つ以上の秘密サブグループ、またはそれらの任意の組み合わせをさらに含む。
【００７５】
いくつかの実施形態によれば、明示的および秘密のデータセクションを動的に通信するための方法が提供され、この方法はメッセージを送信／受信することを含み、前記メッセージは明示的および秘密のデータセクションを含むことができ、データはメッセージの送信者によって選択的に操作されることができ、動的通信は、サブグループの作成を含むことができる。
【００７６】
いくつかの実施形態によれば、動的な方法が提供され、この方法は、以下のステップのうちの１つまたは複数を含むことができる：
メンバーのサブグループの作成、
明示のデータセクションと秘密のデータセクションを含むメッセージの作成、
送信者による秘密のデータセクションの選択的な操作、
メッセージのサブグループへの送信。
【００７７】
いくつかの実施形態では、サブグループが１つまたは複数の秘密サブグループ（単数または複数）またはそれらの任意の組合せを含むことができる。
【００７８】
いくつかの実施形態において、データは、テキストメッセージ、画像、文書、オーディオファイルおよび／またはビデオファイル、またはそれらの任意の組み合わせのうちの１つ以上を含む。
【００７９】
いくつかの実施形態では、方法が以下のステップのうちの１つまたは複数を含むことができる：
（１）登録、
（２）グループと対称鍵の作成、
（３）対称鍵の配布（任意でＷｈａｔｓＡｐｐ、Ｖｉｂｅｒ、Ｍｅｓｓｅｎｇｅｒなどの第三者チャットアプリケーションを使用して）、
（４）メッセージ復号化に１つ以上の制限を追加して操作メッセージを作成し、メッセージ内に明示的なデータセクションと秘密のデータセクションを作成すること、
（５）メッセージへのファイルの追加、
（６）「サブグループ」の設定、
（７）「シークレットサブグループ」の設定、
（８）「サブグループ」へのメッセージ送信、
（９）メッセージの受信、
（１０）１人以上のエンドユーザ（受信者）により、メッセージを視聴すること（メッセージの視聴は選択的である）、
（１１）添付ファイルをダウンロードすること（ファイルダウンロードは選択的である）。
【００８０】
いくつかの実施形態によれば、対称鍵配布は、ＷｈａｔｓＡｐｐ、Ｖｉｂｅｒ、Ｍｅｓｓｅｎｇｅｒなどの第三者チャットアプリケーションを介して行われてもよい。
【００８１】
いくつかの実施形態では、メッセージが第三者チャットアプリケーションを介して「サブグループ」に送信されてもよい。
【００８２】
いくつかの実施形態では、メッセージが第三者チャットアプリケーションを介して受信されてもよい。
【００８３】
いくつかの実施形態によれば、選択的視聴ステップは、受信者によるメッセージの秘密データセクション（「秘密サブグループ」のメンバー）の視聴が承認されていることを検証することを含んでも良い。
【００８４】
いくつかの実施形態では、検証が任意選択の時間制限が満たされるか、任意選択の位置制限が満たされるか、任意選択の強制グループ解読制限が満たされるか、またはそれらの任意の組合せのうちの１つまたは複数を判断することを含むことができる。
【００８５】
いくつかの実施形態では、選択的な視聴ステップが専用の外部ハードウェアの使用によってもよい。
【００８６】
いくつかの実施形態では、専用の外部ハードウェアが外部ディスプレイ／イヤプラグの形態であってもよい。
【００８７】
いくつかの実施形態において、添付ファイルをダウンロードするステップは、受信者による添付ファイルのダウンロードが承認されていることを検証することを含んでも良い。
【００８８】
いくつかの実施形態では、検証は、時間制限が満たされるか、ファイル制限をすでにダウンロードしたユーザの数が満たされるか、またはそれらの任意の組合せのうちの１つまたは複数を判断することを含むことができる。
【００８９】
いくつかの実施形態では、方法は、少なくとも２つのエンドユーザ間、ユーザのグループ間、および／またはユーザのサブグループ間でメッセージを通信するために使用される。
【００９０】
いくつかの実施形態では、秘密データセクションの選択的操作が、特定のユーザ、特定の時間、特定の地理的位置、強制グループ復号モード、またはそれらの任意の組合せに制限され得る。
【００９１】
いくつかの実施形態では、動的通信を、メッセージごとに決定または修正することができる。
【００９２】
いくつかの実施形態では、秘密データの選択的操作を、メッセージごとに決定または修正することができる。
【００９３】
いくつかの実施形態では、複数の明示的および秘密のセクションが同じメッセージ内に含まれる。
【００９４】
いくつかの実施形態では、操作は、同じメッセージ内の複数の操作を含むことができる。
【００９５】
いくつかの実施形態では、複数の操作が（秘密サブグループから導出された）小さな秘密サブグループのための完全なメッセージ、秘密サブグループのための部分的に操作されたメッセージ、およびユーザのサブグループの残りへの完全に操作されたメッセージ、またはそれらの任意の組合せを含むことができる。
【００９６】
いくつかの実施形態では、この方法が特定のユーザを識別するための追加の認証ステップを含むことができる。
【００９７】
いくつかの実施形態では、追加の認証がＮＦＣおよび／またはＱＲ手段の使用を含むことができる。いくつかの実施形態では、ＮＦＣおよび／またはＱＲ手段が、衣服、時計、フィットネストラッカー、帽子などの着用可能物と同化され、埋め込まれ、または関連付けられてもよい。いくつかの実施形態では、ＱＲが特別なＱＲタトゥーの形態であってもよい。
【００９８】
いくつかの実施形態において、追加の認証は、受信者の第２の認証として機能してもよい。
【００９９】
いくつかの実施形態において、追加認証は、送信者のデジタル署名として機能してもよい。
【０１００】
ある実施形態では、受信者が秘密のセクションを視聴するために、外部の専用ハードウェアを使用する必要があり得る。
【０１０１】
いくつかの実施形態では、外部の専用ハードウェアが、外部ディスプレイ／イヤプラグの形態であってもよい。
【０１０２】
いくつかの実施形態では、方法がプロセッサ、送信ユニット、受信ユニット、ディスプレイユニット、入力ユニット、グラフィカルユーザインタフェース（ＧＵＩ）、位置サービス機構のうちの１つまたは複数、またはその組み合わせを備える携帯通信装置上で実行される。いくつかの実施形態では、携帯通信装置はスマートフォンである。いくつかの実施形態では、スマートフォンがｉＯＳ（登録商標）およびＡｎｄｒｏｉｄ（登録商標）などのオペレーティングシステムを含む。
【０１０３】
いくつかの実施形態によれば、明示的および秘密のデータセクションを通信するための方法が提供され、この方法はメッセージを送信／受信することを含むことができ、前記メッセージは明示的および秘密のデータセクションを含むことができ、データは、メッセージの送信者によって選択的に操作されることができる。
【０１０４】
いくつかの実施形態によれば、通信は動的であり、動的通信は、メッセージ当たり１つまたは複数のサブグループの作成を含む。
【０１０５】
いくつかの実施形態では、本発明の明示的および秘密のデータセクションを動的に通信するための方法は、以下のステップのうちの１つまたは複数を含むことができる：
（１）登録、
（２）グループと対称鍵の作成、
（３）対称鍵の配布、
（４）メッセージ復号化に１つ以上の制限を追加して操作メッセージを作成し、メッセージ内に明示的データセクションと秘密のデータセクションを作成すること、
（５）メッセージへのファイルの追加、
（６）「サブグループ」を設定すること、
（７）「シークレットサブグループ」を設定すること、
（８）メッセージを「サブグループ」に送信すること、
（９）メッセージの受信、
（１０）１人以上のエンドユーザ（受信者）によるメッセージの視聴（メッセージの視聴は選択的である）、
（１１）添付ファイルのダウンロード（ファイルのダウンロードは選択的である）。
【０１０６】
ここで、いくつかの実施形態による、本開示の方法におけるステップを示す図２を参照する。ステップ２０１において、ユーザの登録が実行されてもよい。次に、ステップ２０２において、対称鍵の生成に加えて、グループが生成される（グループ生成）。ステップ２０３では、（ステップ２０２で作成された）対称鍵が配布される。いくつかの実施形態では、配信がＷｈａｔｓＡｐｐ、Ｖｉｂｅｒ，Ｍｅｓｓｅｎｇｅｒ等の第三者チャットアプリケーションを介して任意に実行されてもよい。ステップ２０４で、メッセージ復号化に１つ以上の制限を追加して、メッセージ内に明示的および秘密のデータセクションを作成することによって、操作されたメッセージが作成／構成される。オプションのステップ２０５で、ファイルがメッセージに追加されてもよい。ステップ２０６において、サブグループを作成／設定することができる。任意選択のステップ２０７で、１つまたは複数の秘密サブグループを設定することができる。ステップ２０８で、メッセージがサブグループに送信される。いくつかの実施形態では、サブグループへのメッセージの送信が第三者チャットアプリケーションを介してオプションで実行することができる。ステップ２０９において、メッセージは、サブグループメンバによって受信される。受信ステップはサブグループメンバ（すなわち、受信者）の装置において実行される。メールの受信は、任意で第三者チャットアプリケーションを介して行うことができる。次のステップ（２１０）では、メッセージを受信者が視聴することができる（メッセージの視聴は選択的である）。オプションのステップ２１１において、受信者は添付ファイルをダウンロードすることができる（ファイルのダウンロードは選択的である）。
【０１０７】
以下に提示される実施形態は、本開示の方法によってサポート／実行される様々なステップ／機能、ならびに適切な装置およびシステムにおけるそれらの実装の例示的な説明を提供する。
【０１０８】
［登録］
いくつかの実施形態では、登録ステップ２０１を、ローカルアプリケーションが携帯通信装置（例えば、スマートフォン）にインストールされた後に実行してもよい。いくつかの実施形態では、登録ステップは、例えば、ユーザ名、住所、電話番号などのユーザ詳細を提供することを含むことができる。登録された電話番号は、当技術分野で知られている手段によって、例えば、ＳＭＳを電話に送信することによって検証することができる。検証が成功すると、ローカルアプリケーションは秘密／公開鍵ペアを生成できる。これは、メッセージの暗号化と復号化で使用できる対称鍵を配布するために使用される。鍵の公開部分は、グローバルデータベース（ＤＢ）のユーザのレコードに追加される。ＤＢ上のユーザのレコードには、次の１つ以上のフィールドを含めることができる：
−電話番号
−名前
−住所
−公開鍵
−レコード作成日
−レコードの有効性
−割り当てられたＮＦＣおよび／またはＱＲ
−割り当てられた外部ディスプレイおよび／または外部イヤプラグ。
【０１０９】
ある実施形態では、登録プロセスが完了すると、ユーザは新しいグループを作成し、メッセージの暗号化および復号化に使用される対称鍵を配布することができる。いくつかの実施形態において、ＤＢ上のユーザのレコードは、自由に更新することができる。
【０１１０】
［グループ（および対称鍵）の作成］
図３を参照すると、いくつかの実施形態によれば、明示的および秘密のデータセクションを通信する方法におけるグループ作成ステップを示すグラフィカルユーザインタフェースのスクリーンショットが示される。グループ作成ステップは、１つまたは複数の別個のステップを含むことができる。新しいグループ作成の最初のステップでは、ローカル実行可能命令（ローカルアプリケーション）によって、新しい対称鍵がランダムに作成される。その後、グループ作成者（ユーザ）は、メンバーをグループに割り当てるように求められる（「チェック」記号３０１、３０２として示される）。作成されたグループには、以下のフィールドの１つ以上が含まれる場合がある：
−グループ名、
−グループの写真またはアイコン、
−グループメンバー、
−鍵の値、
−作成日。
【０１１１】
いくつかの実施形態では新しいグループ作成の第２のステップ中に、ローカルアプリケーションは「招待に参加する」要求をグループメンバーのそれぞれに送信する。招待を受け入れるグループメンバーごとに、ローカルアプリケーションはメンバー自身の公開鍵を使用して対称鍵を安全に送信する。
【０１１２】
場合によっては、対称鍵は第三者チャットアプリケーションを介して送信できる。図４に、第三者チャットアプリケーションを介した対称鍵の配信中に、グループ作成者（画面４０１）のスクリーンショットとサブグループメンバー（画面４０２）のスクリーンショットを示す。鍵アイコン４０３および４０４は、対称鍵配布の、可視の明示的なデータセクションを表す。鍵の詳細（秘密である）は例えば、裸眼には見えないように不可視文字を使用することによって、様々な手段によって符号化することができる。
【０１１３】
［メッセージの作成（書き込み）］
図５に、いくつかの実施形態による、メッセージ作成を示すＧＵＩのスクリーンショットを示す。メッセージを構成する間（例えば、バーチャルキーボード、５０５を使用）、送信者は例えば、専用アイコン（図５の目のアイコン５０３として示される）を切り替えることによって、明示のセクションと秘密のセクションとを容易に切り替えることができる。メッセージ全体（メッセージ５０２）は明示のセクションと秘密のセクションとの混合を含み、明示のセクション（５０１）は通信に参加するすべてのユーザ（「サブグループ」）によって視聴することができ、メッセージ５０２内の秘密のセクション（下線でマークされる）は選択されたサブグループ（「秘密のサブグループ」）によってのみ視聴することができる。選択された秘密のサブグループメンバが専用エリア（例えば、図５のエリア５０４）にリストされてもよい。いくつかの実施形態では、裸眼では、「秘密のサブグループ」の一部ではないサブグループのメンバーによって視聴されるメッセージは、明示のセクション（５０１）のみを含む。
【０１１４】
いくつかの実施形態ではグループが任意の数のメンバー（例えば、２５０までのメンバー）を含むことができ、サブグループはグループのメンバーのすべてまたは一部を含むことができ、秘密サブグループはサブグループのメンバーのすべてまたは一部を含むことができる。例えば、グループは２０のメンバーを含むことができ、サブグループは１０のメンバーを含むことができ、秘密サブグループは５のメンバーを含むことができる。サブグループおよび／または秘密サブグループ間のメンバーの包含／除外は、メッセージごとに動的に設定することができる。
【０１１５】
［メッセージの受信と復号に制限を追加］
いくつかの実施形態では、メッセージ作成者（送信者）は、１つまたは複数のグループメンバーがメッセージを受信すること（すなわち、サブグループを作成すること）を制限することができる。
【０１１６】
いくつかの実施形態において、送信者は、メッセージ復号化に以下の制限のうちの１つ以上を追加することができる：
−（例えば、図６Ａ、６０１に示されるように）メッセージの秘密セクションを視聴するオプションを特定の時間フレームに制限する、
−（例えば、図６Ａ、６０２に示すように）メッセージの秘密セクションを視聴することができる持続時間を制限する、
−（例えば、図６Ｂに示すように）メッセージの秘密セクションを視聴するオプションを特定の地理的位置に制限する、
−（例えば、図６Ｃ、６０４に示されるように）受信者が特定のメッセージの秘密セクションを視聴することを禁止する（「秘密サブグループ」を作成する）、
−（例えば、図６Ｃ、６０３に示されるように）特定のメッセージの秘密のセクションを送信者が視聴することを禁止する、
−強制的にグループを復号化する（たとえば、受信者が同じ時間帯および／または同じ場所においてメッセージを視聴する場合にのみ、メッセージの秘密のセクションを視聴することができる）。
【０１１７】
［メッセージにファイルを追加］
ある実施形態では、送信者がメッセージにファイルを追加したい場合、ローカルアプリケーションはファイルをグローバルＤＢにアップロードし、メッセージにリンクを追加することができる。ファイルに関しては、送信者が（メッセージ制限を除いて）ファイルをダウンロードすることができる時間枠および／または場所を制限し、および／またはファイルをダウンロードすることができるユーザ数を制限することができる（「先着順」ベース、または他の任意のベースで）。
【０１１８】
いくつかの実施形態では、期限切れになったとき、ファイルはＤＢから削除されてもよい。例えば、所定のダウンロード数に達すると、ファイルは削除されてもよい。
【０１１９】
場合によっては、第三者チャットアプリケーションを介してメールを送信できる。ここでは、第三者チャットアプリケーションを介してメールを送信する際の、送信者（画面７０１）のスクリーンショットとサブグループメンバー（画面７０２）のスクリーンショットを示す図７を参照する。フィールド７０３（送信者画面上）と７０４（サブグループメンバー画面上）は、メッセージの、可視の明示のデータセクションを表す。メッセージの秘密のデータセクションは例えば、裸眼に見えないように不可視文字を使用するなど、様々な手段によって符号化されてもよい。
【０１２０】
［メッセージの視聴］
いくつかの実施形態ではメッセージ全体（すなわち、明示のセクションと秘密のセクションの両方を含むメッセージ）の視聴のために、１つまたは複数の条件が満たされるべきであり、条件はメッセージの送信者によって定義される。
【０１２１】
いくつかの実施形態では、これらに制限されないが、条件は以下より選択されてもよい：
−受信者は、「秘密サブグループ」のメンバーである、
−時間制限（存在する場合）が満たされている、
−地理的位置制限（存在する場合）が満たされている、
−第２の認証（必要な場合）  が表示される、
−強制グループ復号制限（存在する場合）が満たされる、
−受信者は、専用の外部ディスプレイ／イヤプラグ（必要な場合）を有する。
【０１２２】
各可能性は、別個の実施形態である。
【０１２３】
［添付ファイルのダウンロード］
いくつかの実施形態では添付ファイルをダウンロードするために、１つまたは複数の条件が満たされるべきであり、条件はメッセージの送信者によって定義される。
【０１２４】
いくつかの実施形態では、以下がそのような条件の例示的なリストである：
−時間制限が満たされている、
すでにファイルをダウンロードしたユーザの数が制限を超えていない。
【０１２５】
［ＮＦＣおよび／またはＱＲ］
いくつかの実施形態では、第２の認証方法として、ＮＦＣおよび／またはバーコード、ＱＲコードなどのＲＦＩＤをさらに使用することができる。
【０１２６】
ＮＦＣまたはＱＲタグは、布地、衣類、スマートウォッチ、時計、フィットネストラッカー、帽子などの着用可能物に取り付けられ、埋め込まれ、形成され、および／または同化されることができる。
【０１２７】
いくつかの実施形態では、特別な専用のタトゥー（一時的なタトゥーなど）、ステッカー、取り外し可能なパッチをＱＲコードとして使用することができる。
【０１２８】
［ローカルアプリケーションへのＮＦＣおよび／またはＱＲの割り当て］
いくつかの実施形態では、ユーザがローカルアプリケーション内の専用タブを開き、ＮＦＣおよび／またはＱＲをスキャンすることによって、ＮＦＣおよび／またはＱＲを携帯型装置に割り当てることができ、スキャン情報はローカルアプリケーションによってグローバルＤＢに送られ、以下の条件の少なくともいくつかが検証されてもよい：
−ＮＦＣおよび／またはＱＲは正当である、
−ＮＦＣおよび／またはＱＲは、別の携帯型装置によって使用されていない、
−ＮＦＣおよび／またはＱＲの有効期限が切れていない。
【０１２９】
選択された条件が検証されると、ＮＦＣおよび／またはＱＲが携帯型装置に割り当てられる。
【０１３０】
［第２の認証サポートアクション］
いくつかの実施形態では、ＮＦＣおよび／またはＱＲは、以下のアクションのうちの１つまたは複数のための第２の認証として使用され得る：
−ユーザーローカルアプリケーションをアクティブ化する都度、
−ユーザが例えば、特定のグループから、特定の時間に、特定の地理的位置で、またはそれらの任意の組合せで、メッセージを開く都度、
−送信者が、受信者に、特定のメッセージ（例えば、図８、８０１に示されているように）について、第２の認証を使うよう強制することができる。
【０１３１】
いくつかの実施形態では、ＮＦＣおよび／またはＱＲが（例えば、図９の９０１に示されるように）送信されたメッセージに対する「デジタル署名」として送信者によって使用され得る。
【０１３２】
［外部のハードウェア装置］
ある実施形態では、外部ハードウェア装置を使用して、秘密のデータセクションを表示または再生することができる。いくつかの実施形態では、外部ハードウェアを、例えば、スマートウォッチ、ＬＣＤディスプレイなどのディスプレイ装置とすることができる。いくつかの実施形態では、外部ハードウェアを、例えば、イヤプラグ、専用スピーカなどのオーディオプレーヤ装置とすることができる。
【０１３３】
［外部ハードウェア装置をローカルアプリケーションにペアリング］
いくつかの実施形態では、ユーザが専用のペアリングタブを介して、外部ハードウェア装置を携帯装置にペアリングすることができる。ペアリング処理中に、外部ハードウェア装置情報がローカルアプリケーションによってグローバルＤＢに送信され、次の条件が検証される場合がある：
−外部ハードウェア装置が正当である、
−外部ハードウェア装置が別の携帯型装置で使用されていない、
−外部ハードウェア装置の有効期限が切れていない。
【０１３４】
すべての条件が検証されたとき、外部ハードウェア装置は携帯型装置とペアリングされる。
【０１３５】
いくつかの実施形態によれば、本開示の方法は、ローカル実行可能命令として実装される。
【０１３６】
いくつかの実施形態によれば、１つ以上のステップは、第三者チャットアプリケーションを介して実行されてもよい。いくつかの実施形態によれば、少なくとも１つのステップは、第三者チャットアプリケーションを介して実行されてもよい。いくつかの実施形態によれば、１つ以上のステップは、第三者チャットアプリケーションを使用して実行されてもよい。
【０１３７】
いくつかの実施形態による、明示的および秘密のデータセクションを通信するための装置のブロック図を示す図１０を参照する。図１０に示されるように、通信装置（１０００）は、プロセッサ（１００１）、送信ユニット（１００２）、受信ユニット（１００３）、表示ユニット（１００４）、入力ユニット（１００５）、グラフィカルユーザインタフェース（ＧＵＩ）、位置サービス機構（１００６）、またはそれらの組合せのうちの１つまたは複数を含むことができる。前記装置は明示および秘密のデータセクションの動的通信のための方法を実行することができる。前記方法はメッセージを送信／受信することを含み、前記メッセージは明示および秘密のデータセクションを含む。秘密のデータはメッセージの送信者によって選択的に操作することができ、前記動的通信は、１つまたは複数のサブグループの作成を含む。
【０１３８】
いくつかの実施形態によれば、明示および秘密のデータセクションの動的通信の方法を実行することができる通信装置が提供される。ある実施形態では、装置上で実行される方法は、ローカル実行可能命令の形態で実装される。いくつかの実施形態では、通信装置は携帯型装置である。いくつかの例示的な実施形態では、携帯通信装置はスマートフォンである。
【０１３９】
いくつかの実施形態によれば、携帯型通信装置は、プロセッサ、送信ユニット、受信ユニット、ディスプレイユニット、入力ユニット、グラフィカルユーザインタフェース（ＧＵＩ）、位置サービス機構、またはそれらの組合せのうちの１つまたは複数を含むことができる。
【０１４０】
いくつかの実施形態では、通信装置が、明示および秘密のデータセクションの動的通信のための方法を実行することができる。この方法はメッセージを送信／受信することを含み、前記メッセージは明示的および秘密のデータセクションを含む。データはメッセージの送信者によって選択的に操作されてもよい。動的通信は１つまたは複数のサブグループの作成を含む。
【０１４１】
いくつかの実施形態では、通信装置が、明示のデータセクションおよび秘密のデータセクションの動的通信のための方法を実行することができ、この方法はメンバーのサブグループを作成するステップと、明示のデータセクションおよび秘密のデータセクションを備えるメッセージを作成するステップと、送信者によって秘密のデータセクションを選択的に操作するステップと、メッセージをサブグループに送信するステップとのうちの１つまたは複数を含む。いくつかの実施形態では、サブグループが１つ以上のサブグループを含んでもよい。
【０１４２】
以下の実施例は、本発明のいくつかの実施形態をより完全に例示するために提示される。しかしながら、それらは、決して、本発明の広い範囲を限定するものと解釈されるべきではない。当業者は、本発明の範囲から逸脱することなく、本明細書に開示された原理の多くの変形および修正を容易に考案することができる。
【０１４３】
［実施例］
［例１：メッセージ／ファイルの明示的および秘密の交換のための開示の実装］
既存のチャットアプリケーションを使用する場合、しばしば、注意を引くことなく、潜在的な無許可の読者／聴取者の目を欺くために、テキストの一部を偽装する必要がある。したがって、本システム、装置、および方法は、以下の例示的な状況のうちの１つまたは複数で利用することができる：
−グループが、そのメンバーのうちの１人のために誕生日パーティを企画しているとき、彼らは操作されたメッセージを送ることができる。そこでは、明示的な部分が１つの事柄を表す一方、秘密の部分（「誕生日の少年」は視聴することができない）が他の事柄を表す、
−両親が、家族チャットグループ内で子供の「頭越し」にメッセージを送信したい場合、
−一方のパートナーが、「無実である」ふりを保ちながら、メッセージの一部を他方のパートナーから隠すことを望むとき、
−上司が、勤務時間中のみ、または会社の施設でのみ、視聴されるべきメッセージを送信する場合、
−視聴後に「消滅」し得る「追加の」秘密部分を可視メッセージに追加することを望むカップル、
−機密情報を秘密の方法で送信するとき、
−授業中および先生のチャットグループで先生についてのコメントを書くとき。
【０１４４】
特定の実施形態の前述の説明は、本発明の一般的な性質を十分に明らかにするので、現在の知識を適用することによって、過度の実験を行うことなく、かつ一般的な概念から逸脱することなく、そのような特定の実施形態を様々な用途に容易に修正および／または適応させることができ、したがって、そのような適応および修正は開示された実施形態の均等物の意味および範囲内で理解されるべきであり、そのように意図されている。本発明をその特定の実施形態に関連して説明してきたが、多くの代替、修正、および変形が当業者には明白であることは明らかである。したがって、本発明は、添付の特許請求の範囲の精神および広い範囲内にある、そのような代替、修正、および変形のすべてを包含することが意図される。
【図１】
2021520586.tif 000002
【図２】
2021520586.tif 000003
【図３】
2021520586.tif 000004
【図４】
2021520586.tif 000005
【図５】
2021520586.tif 000006
【図６Ａ】
2021520586.tif 000007
【図６Ｂ】
2021520586.tif 000008
【図６Ｃ】
2021520586.tif 000009
【図７】
2021520586.tif 000010
【図８】
2021520586.tif 000011
【図９】
2021520586.tif 000012
【図１０】
2021520586.tif 000013
【国際調査報告】
2021520586.tif 000014
2021520586.tif 000015
2021520586.tif 000016